(57)【要約】      （修正有）【課題】装置の重量を増加させることなしに部品点数を有効に低減させることができ、また、作業工程および工数を増加させることがなく、メンブランの機能に際して異音を発生するおそれもない防振装置を提供する。【解決手段】一方をコア部材１、他方を筒状部材２とし、この筒状部材２の一端部を、ゴム弾性体３によってコア部材１の外周面に液密に連結するとともに、その筒状部材２の他端をダイアフラム４によって液密に封止して、液室５を、仕切部材６によって、筒状部材２の軸線方向に二分割して主液室５ａと副液室５ｂとに区分し、主液室内圧の増加を、仕切部材６に設けたメンブランの振動によって抑制するものであって、全体がゴム材料からなり、フランジ部６ａ、筒状部６ｃおよび、前記メンブランとして機能する薄膜底壁６ｅを順次に有する仕切部材６を、それのフランジ部６ａで、前記制限通路７と、ゴム弾性体３との間に挾持してなる。【選択図】図１
2010255656.tif 000002
【特許請求の範囲】
【請求項１】
振動の発生側および伝達側のそれぞれに取付けられる剛性部材のいずれか一方をコア部材、他方を、コア部材の周りに位置する筒状部材とし、この筒状部材の一端部を、ゴム弾性体によってコア部材の外周面に液密に連結するとともに、その筒状部材の他端をダイアフラムによって液密に封止して、少なくとも、ダイアフラムとゴム弾性体との間に区画されて液体を封入された液室を、仕切部材によって、筒状部材の軸線方向に二分割して主液室と副液室とに区分し、それらの主液室と副液室とを制限通路によって連通させるとともに、主液室内圧の増加を、仕切部材に設けたメンブランによって抑制する防振装置であって、
全体がゴム材料からなり、フランジ部、筒状部および、前記メンブランとして機能する薄膜底壁を順次に有する仕切部材を、それのフランジ部で、前記制限通路と、ゴム弾性体もしくは筒状部材との間に挾持してなる防振装置。
【請求項２】
仕切部材を、薄膜底壁を副液室側に向けるとともに、フランジ部を主液室側に向けた姿勢で配置して、この仕切部材の筒状部の下端周縁部を、ダイアフラムの厚肉肩部で支持してなる請求項１に記載の防振装置。
【請求項３】
ダイアフラムを、筒状部材の内周側にかしめ固定される制限通路の内周面に接着させるとともに、仕切部材の筒状部外周面に密着させてなる請求項１もしくは２に記載の防振装置。
【請求項４】
仕切部材の筒状部を、薄膜底壁より厚肉としてなる請求項１〜３のいずれかに記載の防振装置。
【発明の詳細な説明】
【技術分野】
【０００１】
この発明は防振装置に関するものであり、たとえば、自動車のエンジン等の振動発生部の振動の、車体への伝達を、ゴム弾性体の変形および封入液体の流動をもって抑制し、吸収する防振装置にあって、装置の部品点数の低減を図るとともに、軽量化を達成する技術を提案するものである。
【背景技術】
【０００２】
この種の液入り防振装置では、そこへの高周波振動の入力に起因する、制限通路の実質的な目詰まり状態の発生によって、液室内の充填液体が、主液室と副液室との間で流動できなくなることによる液室内圧の増加、ひいては、防振機能の低下を防止するべく、主液室と副液室とを区分する仕切部材に、液室内圧の増加に伴って弾性変形等する、薄膜からなるメンブランを付設し、このメンブランの変形によって液室内圧の増加分を吸収することが一般に行われている。
【０００３】
これがため従来は、仕切部材とメンブランとの機能分離下で、金属材料等からなる仕切部材にゴム製メンブランの周縁部を加硫接着させること、および、特許文献１に開示されているように、隔壁部材の上部構成部材と下部構成部材との間に、弾性板であるメンブランの外周部分を挾着すること等が広く行われていた。
【先行技術文献】
【特許文献】
【０００４】
【特許文献１】特開平１０−３１８３１１号公報
【発明の概要】
【発明が解決しようとする課題】
【０００５】
しかるに、これらの従来技術にあっては、仕切部材ないしは隔壁部材と、それとは別体になるメンブランとが必要になることから、部品点数の増加の他、重量の増加が否めず、また、仕切部材ないしは隔壁部材の中央部分にメンブランを固着もしくは、固定するための工程および作業工数が不可避となり、さらには、メンブランが、仕切部材ないしは隔壁部材に衝接することに起因する異音の発生のおそれば高いという問題があった。
【０００６】
この発明は、従来技術が抱えるこのような問題点を解決することを課題とするものであり、それの目的とするところは、装置の重量を増加させることなしに部品点数を有効に低減させることができ、また、作業工程および工数を増加させることがなく、メンブランの機能に際して異音を発生するおそれもない防振装置を提供するにある。
【課題を解決するための手段】
【０００７】
この発明の防振装置は、振動の発生側および伝達側のそれぞれに取付けられる剛性部材のいずれか一方を、内筒金具とすることができるコア部材、他方を、そのコア部材の周りに位置する、外筒金具とすることができる筒状部材とし、この筒状部材の一端部を、ゴム弾性体によってコア部材の外周面に液密に連結するとともに、その筒状部材の他端をダイアフラムによって液密に封止して、少なくとも、ダイアフラムとゴム弾性体との間、場合によっては、それらに加えて、コア部材および／または筒状部材との間に区画されて液体を封入された液室を、仕切部材によって、筒状部材の軸線方向に二分割して主液室と副液室とに区分し、たとえば、剛性部材を主体、すなわち主要部とすることができる制限通路によってそれらの主液室と副液室との連通させるとともに、その制限通路の目詰まりに伴う主液室内圧の増加を、仕切部材に設けたメンブランの変位もしくは変形によって抑制するものであって、全体がゴム材料からなり、フランジ部、筒状部および、前記メンブランとして機能する薄膜底壁を順次に有する仕切部材を、それのフランジ部で、前記制限通路と、ゴム弾性体もしくは筒状部材との間に挾持してなるものである。
【０００８】
ここで好ましくは、前記仕切部材を、薄膜底壁を副液室側に向けるとともに、フランジ部を主液室側に向けた姿勢で配置して、この仕切部材の筒状部の下端周縁部を、ダイアフラムの、それの変形部分よりはるかに肉厚の厚肉肩部で位置決め支持する。
【０００９】
また好ましくは、ダイアフラムを、たとえば、上記厚肉肩部より上端側の部分で、筒状部材の内周面に、ゴムライニング層を介して、または介することなくかしめ固定される制限通路の内周面に、加硫接着、接着剤接着等によって接着させるとともに、ダイアフラムの、厚肉肩部より上方側の内周面を、仕切部材の筒状部外周面に密着させて配設する。
【００１０】
ところで、仕切部材の筒状部は、メンブランとして機能する薄膜底壁より薄肉とすることが好ましい。
【発明の効果】
【００１１】
この発明の防振装置では、全体がゴム材料からなる仕切部材の中央部分に、メンブランとして機能する薄膜底壁を一体的に付設することにより、仕切部材等とメンブランとが別体物になる従来技術に比し、部品点数を有効に低減できるとともに、薄膜底壁を含む仕切部材の全体をゴム製とすることで、金属製等の仕切部材を用いる従来技術に比し、装置重量の低減を図ることができる。
【００１２】
またこの発明では、薄膜底壁を含む仕切部材を、ゴム材料の射出成型等によって一体的に製造することで、従来技術のように、仕切部材等にメンブランを固着ないしは固定する作業工程等を不要として、装置の組付けを簡単かつ容易にすることができ、併せて、変形中等の薄膜底壁が、金属製等になる剛性構成部材に衝接することに起因する異音の発生のおそれを十分に取り除くことができる。
【００１３】
そしてさらにこの装置では、フランジ部、筒状部および、メンブランとして機能する薄膜底壁を順次に有する仕切部材を、それが倒立姿勢にあると否とにかかわらず、それの、所要の厚みのフランジ部で、剛性部材を主体とする制限通路と、ゴム弾性体または、ゴムライニング層を有する、もしくは有しない筒状部材との間に挾持することで、仕切部材を確実に位置決め保持することができる。
【００１４】
フランジ部のこのような挾持を、制限通路と、ゴム弾性体との間もしくは、筒状部材のゴムライニング層との間で行うときは、仕切部材で区分される主液室内の液体の、フランジ部を伝わる洩出のおそれを効果的に取り除くことができる。
【００１５】
ところで、この防振装置では、コア部材もしくは筒状部材のいずれか一方に連結された振動発生部から入力された振動は、ゴム弾性体の変形によって吸収される他、主・副液室内の液体が、圧力変化に基いて、制限通路を経て、それらの間で流動することによる液柱共振、流動抵抗等によって減衰されることになるので、振動伝達側に連結された他方の部材は十分に防振されることになる。
【００１６】
この一方で、高周波の振動が入力されて、制限通路が目詰まり状態となって、封入液体のそこへの流動が不能となった場合は、仕切部材薄膜底壁がメンブランとして機能して、たとえば弾性変形下で振動することで、液室内圧の異常な増加が防止されることになるので、ゴム弾性体の変形に基く防振機能は依然として発揮することができ、動ばね定数を十分に低く抑えることができる。
【００１７】
なおこの場合にあって、仕切部材を、薄膜底壁が底壁となる形態で配置して、この仕切部材の、筒状部と対応する下端周縁部を、ダイアフラムの、変形部分より肉厚の厚肉肩部によっても支持するときは、仕切部材の位置決め保持を、上下の二個所の保持によってより強固なものとすることができる。
また、仕切部材の筒状部の下端周縁部を、ダイアフラムの厚肉肩部に密着させることで、副液室内の液体の洩出のおそれを十分に取り除くことができる。
【００１８】
また、ダイアフラムを、たとえばそれの上端部分で、筒状部材の内周面にかしめ固定される制限通路の内周面に、加硫その他によって接着させた場合は、ダイアフラムそれ自体の位置決め保持を確実なものとするとともに、十分強固なものとすることができ、併せて、そのダイアフラムを、仕切部材の筒状部の外周面に密着させたときは、薄膜底壁がメンブランとして振動する場合の、仕切部材のめくれ上がりを、ダイアフラムによる拘束によって有効に阻止することができる他、副液室内の液体の、それらの間への入り込みをより効果的に防止することができる。
【００１９】
そしてさらに、仕切部材の筒状部を、薄膜底壁より厚肉としたときは、その薄膜底壁のメンブランとしての振動に当り、仕切部材のめくれ上がりを一層効果的に阻止することができる。
【図面の簡単な説明】
【００２０】
【図１】この発明の実施の形態を示す縦断面図である。
【図２】仕切部材を示す斜視図である。
【発明を実施するための形態】
【００２１】
図１は、この発明の実施の形態を示す縦断面図であり、図中１は、剛性コア部材の一例としてのコア金具を、２は、コア金具１と同心に配置した、剛性筒状部材の一例としての外筒金具をそれぞれ示す。
ここにおけるコア金具１は、多くの場合、ブラケットを介して振動発生側、たとえばエンジに連結され、外筒金具２は、多くは、筒状ホルダーを介して振動伝達側、たとえば車体に連結される。
【００２２】
ここでは、外筒金具２の上端部を、ゴム弾性体３によってコア金具１の外周面に液室に連結する。
なおこの図では、ゴム弾性体３の下端部分を、外筒金具２の内周面を覆うライニングゴム層３ａとしているが、このライニングゴム層３ａは省くことも可能であり、また、図に示すところでは、ゴム弾性体３をもって、コア金具１の下端面まで覆うこととしているも、コア金具１の下端部はゴム弾性体３から露出させることも可能である。
【００２３】
またここでは、筒状金具２の下端をダイアフラム４により、後述するようにして液密に封止するとともに、図では、このダイアフラム４とゴム弾性体３との間に区画されて、水、シリコーンオイル、アルキレングリコール等の所要の液体を封入された液室５を、全体がゴム材料からなる、これも後述する、仕切部材６によって、外筒金具２の軸線方向に二分割して主液室５ａと副液室５ｂとに区分し、そして、これらの両液室５ａ，５ｂを、仕切部材６とは別体になって、剛性部材を主体とする制限通路７によって相互に連通させる。
【００２４】
ここで、この制限通路７は、断面形状がチャンネル状をなす環状剛性部材を、外筒金具２の内周面に、直接的にまたは、図示のように、ライニングゴム層３ａを介して間接的にかしめ固定することによって構成することができ、この制限通路７は、図２に仕切部材６を斜視図で例示するような、フランジ部６ａに設けた切欠き６ｂを経て主液室５ａに開口することになり、また、仕切部材６の筒状部６ｃに形成した溝部６ｄを介して副液室５ｂに開口することになる。
【００２５】
ところで、図１および２では倒立形態で示す、全体がゴム材料製の、フランジ部、筒状部および、メンブランとして機能する薄膜底壁を順次に有する仕切部材６は、図１に示すところでは、制限通路７とゴム弾性体３との間に挾持されるリング状のフランジ部６ａ、このフランジ部６ａに連続して図の下方側へ突出する筒状部６ｃと、この筒状部６ｃの先端を閉止してメンブランとして機能する薄膜底壁６ｅとを具えてなり、好ましくは、この仕切部材６の下端周縁部、すなわち、筒状部６ｃの周縁部を、ダイアフラム４の可撓部分ないしは弾性変形分４ａよりはるかに肉厚にして大径の厚肉肩部４ｂをもって位置決め支持する。
【００２６】
ダイアフラム４の厚肉肩部４ｂによる仕切部材６のこの位置決め支持および、仕切部材６のフランジ部６ａの上記挾持を緊密に行うときは、仕切部材６の位置決め保持を、確実かつ十分強固なものとして、主液室５ａ内の液体の、フランジ６ａの上表面を通る洩出および、副液室５ｂ内の液体の、筒状部６ｃの周りを通る洩出をともに効果的に防止することができる。
【００２７】
なおここで、ダイアフラム４それ自体は、図の上端部分４ｃを、筒状金具２の内周面にかしめ固定される制限通路７、より直線的には剛性部材のさらに内周面に、加硫その他によって接着させることで、筒状金具２の下端を、制限通路７の介在下で、液密に封止することができる。
【００２８】
この場合、ダイアフラム４の上端部分４ｃを、仕切部材筒状部６ｃの外周面に密着させるときは、薄膜底壁６ｅがメンブランとして機能して、図の上下方向に振動する場合の、その仕切部材６の、図の上方側へのめくれ上がりのおそれを十分に取り除くとともに、その上端部分４ｃと筒状部６ｃとの間の液密性をより高めることができる。
【００２９】
そしてこの仕切部材６のめくれ上がりの防止は、筒状部６ｃの厚みを、薄膜底壁６ｅのそれより厚肉、たとえば数倍におよぶ厚肉とした場合にもまた効果的である。
【００３０】
このようにここでは、とくに、仕切部材６を、全体がゴム材料からなり、挾持固定用のフランジ部６ａと、筒状部６ｃと、メンブランとして機能する薄膜底壁６ｅとを有する一体構造物とすることで、前述したように、防振装置の部品点数および重量の低減を実現するとともに、部品の組付けのための作業工程および工数を不要とすることができ、さらには、異音の発生のおそれを十分に取り除くことができる。
【符号の説明】
【００３１】
１  コア金具
２  外筒金具
３  ゴム弾性体
３ａ  ライニングゴム層
４  ダイアフラム
４ａ  弾性変形部分
４ｂ  厚肉肩部
４ｃ  上端部分
５  液室
５ａ  主液室
５ｂ  副液室
６  仕切部材
６ａ  フランジ部
６ｂ  切欠き
６ｃ  筒状部
６ｂ  溝部
６ｅ  薄膜底壁
７  制限通路
【図１】
2010255656.tif 000003
【図２】
2010255656.tif 000004